(57)【特許請求の範囲】
【請求項１】
一方の構成部材に設けた長孔内に、他方の構成部材に取り付けた軸を、前記長孔の長手方向に沿って摺動可能に嵌合した軸受構造において、
前記軸に、前記長孔における対向する平行面に面接触する外面を有し、断面形状がほぼコ字状をなす合成樹脂材料の成形物からなり、その内部に、軸径と等しい円弧部分を形成するとともに、その両腕部分の外面を、長孔の対向する平行面に沿って面接触する直線部とした摺動子を嵌合し、かつこの摺動子を、前記長孔に摺動自在に嵌合したことを特徴とする軸受構造。
【請求項２】
断面形状を、ほぼコ字状とした摺動子の開口端部の内面に、支軸を係止する係止部を形成したことを特徴とする請求項１記載の軸受構造。
【請求項３】
一方の構成部材に、左右方向に間隔を隔てて互いに平行をなす２個の長孔を形成し、他方の構成部材に取り付けた軸に嵌合した摺動子の両端部を、前記長孔にそれぞれ嵌合し、前記摺動子の中間部に切り欠きを設けたことを特徴とする請求項１または２に記載の軸受構造。
【請求項４】
一方の構成部材を椅子の基枠とし、他方の構成部材を座席受体とし、前記座席受体の左右の側板間に左右方向を向く軸を取り付け、この軸に上下面が平行な摺動子を嵌合し、前記基枠の上縁に形成した傾斜面と、前記基枠の上面に取り付けた取付板の下面の一部に形成した傾斜面とを互いに平行となるように対向させて長孔を形成し、この長孔に前記摺動子を摺動自在に嵌合したことを特徴とする請求項１〜３のいずれかに記載の軸受構造。
【発明の詳細な説明】
【０００１】
【発明の属する技術分野】
本発明は、一方の構成部材に設けた長孔内を、他方の構成部材に取り付けた軸が摺動することにより、両構成部材間の移動を許容するようにした軸受構造、特に椅子の基枠と座席とを連結する軸の軸受構造に関する。
【０００２】
【従来の技術】
従来、この種の装置では、一方の構成部材に、長孔を有する合成樹脂材料製の軸受部材を取り付け、この軸受部材の長孔へ、他方の構成部材に設けた軸を摺動自在に嵌合することにより、他方の構成部材を、一方の構成部材に対して特定の方向に若干移動しうるようにしたものが知られている。
【０００３】
【発明が解決しようとする課題】
上述の従来装置では、通常、断面形状が円形の軸が使用されるため、軸と軸受部材との接触は、上下の線接触となり、負荷が下部の線接触部分に集中するため、繰り返し使用によって磨耗によるがたつきが発生し易く、また、組立に際しては、一方の構成部材に、合成樹脂材料製の軸受部材を嵌合した後、他方の構成部材の左右の側板等に穿設した軸孔と前記軸受部材の長孔との位置合わせをして、左右方向の軸を前記孔のすべてに挿通した後、軸の一端を止め輪等により抜け止めしなければならないため、組立が面倒であるという問題点があった。
【０００４】
本発明は、このょうな問題点を解決するため、繰り返し使用による磨耗のためのがたつきが発生しにくく、かつ組立も容易な軸受構造を提供することを目的としている。
【０００５】
【課題を解決するための手段】
本発明によると、上記課題は、次のようにして解決される。
(１)  一方の構成部材に設けた長孔内に、他方の構成部材に取り付けた軸を、前記長孔の長手方向に沿って摺動可能に嵌合した軸受構造において、
前記軸に、前記長孔における対向する平行面に面接触する外面を有し、断面形状がほぼコ字状をなす合成樹脂材料の成形物からなり、その内部に、軸径と等しい円弧部分を形成するとともに、その両腕部分の外面を、長孔の対向する平行面に沿って面接触する直線部とした摺動子を嵌合し、かつこの摺動子を、前記長孔に摺動自在に嵌合する。
【０００６】
(２)  上記(１)項において、断面形状をほぼコ字状とした摺動子の開口端部の内面に、軸を係止する係止部を形成する。
【０００７】
(３)  上記(１)または(２)項において、一方の構成部材に、左右方向に間隔を隔てて互いに平行をなす２個の長孔を形成し、他方の構成部材に取り付けた軸に嵌合した摺動子の両端部を、前記長孔にそれぞれ嵌合し、前記摺動子の中間部に切り欠きを設ける。
【０００８】
(４)  上記(１)〜(３)項のいずれかにおいて、一方の構成部材を椅子の基枠とし、他方の構成部材を座席受体とし、前記座席受体の左右の側板間に左右方向を向く軸を取り付け、この軸に上下面が平行な摺動子を嵌合し、前記基枠の上縁に形成した傾斜面と、前記基枠の上面に取り付けた取付板の下面の一部に形成した傾斜面とを互いに平行となるように対向させて長孔を形成し、この長孔に前記摺動子を摺動自在に嵌合する。
【０００９】
【発明の実施の形態】
本発明は、一般に、２個の構成部材を、軸と長孔との連結により、長孔の長手方向に相対軸移動可能とするあらゆる機構に適用することができるが、ここでは、その一実施例として、椅子の座席と背凭れの傾動機構に適用したものをあげて説明する。
【００１０】
図４は、このような椅子の傾動機構を説明するもので、キャスタ(１)を備えた脚部(２)には、ガススプリングを内蔵した脚柱(３)が固定されており、脚柱(３)の上端には、基枠(４)が取り付けられている。
【００１１】
図４と、その要部の分解斜視図である図１とに示すように、基枠(４)には、座席受体(５)及び背杆(10)が、３つの連結部(Ａ)(Ｂ)(Ｃ)により連結されている。
すなわち、座席受体(５)は、基枠(４)に形成した長孔(６)と座席受体(５)に形成した長孔(７)とに摺動自在に嵌合した前後１対の軸(８)(９)をもって基枠(４)に支持されている。
後部軸(９)は、背杆(10)の前端に穿設した軸孔(13)（図１参照）に挿通され、背杆(10)の中間部に貫挿した軸(11)は、座席受体(５)の後部両側部に設けた長孔(12)に嵌合されている。
【００１２】
このような長孔と軸とによる連結部の構成は、着座者が背凭れに寄り掛かる時、座席受体(５)を、背凭れ、従って背杆(10)の後方への回動と連動して、後ろに移動しながら、後ろに傾く運動をさせるためのものであり、着座者は、骨盤の近傍（Ｐ点）を中心に、後ろに無理なく傾きうる。またこの際、座席の運動中心(Ｑ)は、着座者の足の踝の位置に近ずくので、下腿部が上方に引っ張りあげられることがない。
【００１３】
図１〜図３に示すように、連結部(Ｂ)の軸(８)は、座席受体(５)の左右の側壁に両端を固定されている。軸(８)に対応する長孔(６)は、基枠(４)の左右両側の上縁に形成された傾斜面(14)と、座席受体(５)を挟んで基枠(４)の上面を覆う取付板(15)の下面に形成された傾斜面(16)とにより形成されている。これら傾斜面(14)(16)は、長孔(６)の対向する平行面を形成している。
【００１４】
座席受体(５)に固定された前部軸(８)には、摺動子(17)が嵌合されている。
摺動子(17)の詳細は、図３に示されている。摺動子(17)は、合成樹脂材料の成型物からなるもので、断面形状がほぼ後向きコ字状をなし、その内面には、軸(８)の直径とほぼ等しい直径の円弧部分(18)が形成されており、その開口部側は、軸(８)と係合して、その外れ止めとなる係止部(19)となっている。
【００１５】
摺動子(17)の上下腕部(20)の外面の直線部は、前述の長孔(６)の対向する平行面、すなわち平面状の傾斜面(14)(16)に当接するが、これら平行面の前後方向の長さよりもかなり短い前後方向長さを有するものである。
また、摺動子(17)は、軸(８)のほぼ全長を覆う左右方向の長さを有するもので、中間部には、切り欠き(21a)(21b)が形成されている。切り欠き(21a)は、両腕部分(20)の先端より切り込まれており、また切り欠き(21b)は、両腕部分(20)を連結する連結部分(22)に、横長孔として切り欠かれている。
なお、符号(23)は、組立時に用いるセット孔を示す。
【００１６】
図２に示すように、取付板(15)は、基枠(４)に、軸(８)に嵌合させた摺動子(17)を嵌め込んだ後に、基枠(４)にボルト(24)をもって固着されている。
【００１７】
【発明の効果】
請求項１記載の発明によると、長孔内を、軸に取り付けられた摺動方向を向く平行面を有する摺動子が摺動し、長孔の摺動方向を向く平行面に、前記軸受部材の平行面が面接触するので、軸に加わる負荷が分散し、繰り返し使用による摩耗のためのがたつきが発生しにくく、また、摺動子を軸に簡単に嵌合することができる。
【００１８】
請求項２記載の発明によると、摺動子が、長孔内に挿入された状態において軸から側方に外れることがない。
【００１９】
請求項３記載の発明によると、摺動子が、中間部において撓み性を与えられ、これにより、軸の移動に左右に多少のずれがあっても、このずれによる無理を吸収させることができる。
【００２０】
請求項４記載の発明によると、椅子の基枠、座席受体、取付板等を、特殊なダイキャスト等によることなく、板材のプレス加工等により簡単かつ安価に製造することができ、また組立も容易である。
【図面の簡単な説明】
【図１】  本発明の一実施例を備えた椅子の主要部分を分解して示す斜視図である。
【図２】  同じく要部の拡大縦断面図である。
【図３】  摺動子の拡大斜視図である。
【図４】  本発明を適用した椅子の概略構成図である。
【符号の説明】
(Ａ)(Ｂ)(Ｃ)連結部
(１)キャスタ
(２)脚部
(３)脚柱
(４)基枠
(５)座席受体
(６)(７)長孔
(８)(９)軸
(10)背杆
(11)軸
(12)長孔
(13)軸孔
(14)傾斜面
(15)取付板
(16)傾斜面
(17)摺動子
(18)円弧部分
(19)係合部
(20)腕部
(21a)(21b)切り欠き
(22)連結部分
(23)セット孔
(24)ボルト
【図１】
0003687017.tif 000002
【図２】
0003687017.tif 000003
【図３】
0003687017.tif 000004
【図４】
0003687017.tif 000005